(57)【要約】【課題】高速パケット通信中の基地局間ハンドオーバ時に、不要な再送データによるスループットの低下を抑制できる無線通信システムを提供する。【解決手段】ＨＳＤＰＡ（High Speed Downlink Packet Access）方式による高速パケット通信機能を有する無線通信システムは、制御配下の複数の基地局間で無線端末のハンドオーバが発生したとき、ハンドオーバ元基地局から前記無線端末へ送信しきれなかったパケットに関する残留パケット情報を前記ハンドオーバ元基地局より受信する手段と、前記残留パケット情報を受信したとき、次に送信待ち状態のパケットに優先して、前記残留パケット情報対応のパケットをハンドオーバ先基地局へ送信する手段とを基地局制御装置に備える。【選択図】図２
2007096819.tif 000002
【特許請求の範囲】
【請求項１】
ＨＳＤＰＡ（High Speed Downlink Packet Access）方式による高速パケット通信機能
を有する無線通信システムであって；
制御配下の複数の基地局間で無線端末のハンドオーバが発生したとき、ハンドオーバ元基地局から前記無線端末へ送信しきれなかったパケットに関する残留パケット情報を前記ハンドオーバ元基地局より受信する手段と；
前記残留パケット情報を受信したとき、次に送信待ち状態のパケットに優先して、前記残留パケット情報対応のパケットをハンドオーバ先基地局へ送信する手段と；
を基地局制御装置に備える無線通信システム。
【請求項２】
ＨＳＤＰＡ（High Speed Downlink Packet Access）方式による高速パケット通信機能
を有する無線通信システムに適用するための基地局制御装置であって；
制御配下の複数の基地局間で無線端末のハンドオーバが発生したとき、ハンドオーバ元基地局から前記無線端末へ送信しきれなかったパケットに関する残留パケット情報を前記ハンドオーバ元基地局より受信する手段と；
前記残留パケット情報を受信したとき、次に送信待ち状態のパケットに優先して、前記残留パケット情報対応のパケットをハンドオーバ先基地局へ送信する手段と；
を備える基地局制御装置。
【請求項３】
ＨＳＤＰＡ（High Speed Downlink Packet Access）方式による高速パケット通信機能
を有する無線通信システムに適用するための基地局であって；
無線端末のハンドオーバが発生したとき、前記無線端末へ送信しきれなかったパケットに関する残留パケット情報を基地局制御装置に通知する手段
を備える基地局。
【請求項４】
ＨＳＤＰＡ（High Speed Downlink Packet Access）方式による高速パケット通信機能
を有する無線通信システムの基地局制御装置において実行される制御方法であって；
制御配下の複数の基地局間で無線端末のハンドオーバが発生したとき、ハンドオーバ元基地局から前記無線端末へ送信しきれなかったパケットに関する残留パケット情報を前記ハンドオーバ元基地局より受信するステップと；
前記残留パケット情報を受信したとき、次に送信待ち状態のパケットに優先して、前記残留パケット情報対応のパケットをハンドオーバ先基地局へ送信するステップと；
を備える制御方法。
【発明の詳細な説明】
【技術分野】
【０００１】
本発明は、ＨＳＤＰＡ（High Speed Downlink Packet Access）方式による高速パケッ
ト通信機能を提供可能な無線通信システムに関し、特にハンドオーバ時のスループットの低下を抑制することが可能な移動通信システムに関する。
【背景技術】
【０００２】
高速パケット通信、特に下り高速パケット伝送を実現するＩＭＴ（International Mobile Telecommunications）２０００のＨＳＤＰＡ方式では、高速パケット通信中に無線端
末（移動端末）が隣接する基地局へ移動してハンドオーバが発生した場合、基地局制御装置は下りのパケットデータをハンドオーバ元（移動元）の基地局からハンドオーバ先（移動先）の基地局に転送するように切り替え制御する必要がある。
【０００３】
通常、基地局は、電波状態が良くなったら無線端末へ大量にデータを送信するために、基地局制御装置からパケットを送信してもらい、基地局内のパケットバッファを満たすように溜めておく。しかし、ハンドオーバが発生して転送先の基地局が切り替わることで、ハンドオーバ元の基地局には無線端末への未送達（未送信）のパケットが残留する。
【０００４】
従来の無線通信システムでは、ハンドオーバ元の基地局内の残留パケットは廃棄され、無線端末のハンドオーバによる切り替え後に、無線端末と基地局制御装置との間で送達確認を行っているＲＬＣ（Radio Link Control）レイヤにおいて再送要求を出すことにより、基地局制御装置から廃棄された全パケットを再度送信し直すことで、データロスの発生を防いでいる。
【０００５】
しかし、この従来技術では、ハンドオーバ時にハンドオーバ元の基地局に未送達のパケットが残留し、最終的にそのパケットは廃棄される上に、上位ＲＬＣレイヤが送達未確認型の場合には、再送を行わないので、無線端末側でデータロスが発生することを避けられない。
【０００６】
この問題を解消するものとして、基地局制御装置と基地局との間の転送で使用するＦＰ（Frame Protocol）に新たにシーケンス番号フィールドを設け、基地局における無線端末へのパケット転送状況と比較して管理し、残留したパケットをＦＰ単位でハンドオーバ先基地局へ転送する技術が、特開２００４−２８２６５２号公報（特許文献１）で開示されている。
【０００７】
また、特開２００３−３１９４３２号公報（特許文献２）では、複数の基地局間でハンドオーバを行う必要があると判定した場合に、基地局制御装置が切り替え元及び切り替え先の基地局に対して、同報対象のパケットデータの先頭パケット情報を通知し、切り替え元基地局が通知された先頭パケット情報の直前のパケットの送信完了通知を基地局制御装置へ通知することでハンドオーバ可能状態となり、ハンドオーバ後の切り替え先の基地局は、通知された先頭パケット情報のパケットから無線端末へ送信する技術が開示されている。
【０００８】
上述した従来の技術では、ＨＳＤＰＡ方式の高速パケット通信中に、無線端末が移動することでハンドオーバが発生した場合、ハンドオーバ元の基地局で送信できない残留パケットは廃棄するしかないという問題がある。また、ハンドオーバ先の基地局と通信を開始した時に、最初に無線端末が受信するパケットは、廃棄されたパケット全てをスキップした次のパケットからとなり、無線端末と基地局制御装置との間で送達確認を行っているＲ
ＬＣレイヤでの再送要求を無線端末が出すことで、基地局制御装置から廃棄された全パケットを再度送信し直すことで復旧している。しかし、これにより、無駄な時間が生じるため、スループットの低下を免れない。
【０００９】
また、特開２００４−２８２６５２号公報で開示されている技術においては、未送達のパケットをＦＰ単位でハンドオーバ先基地局に転送する物理回線（有線回線）は、基地局制御装置を介してのみ接続されていることが通例であるため、このＦＰを一旦基地局制御装置へ戻す上りトラフィックが発生する上に、複数の基地局間同士の転送であるために同一の基地局制御装置の配下でしか動作できないという問題がある。
【００１０】
さらに、特開２００３−３１９４３２号公報で開示されている技術においては、ハンドオーバを行う前にハンドオーバ元及びハンドオーバ先の基地局へパケットを同報送信する必要がある。しかし、従来のＨＳＤＰＡ方式では、基地局が無線端末との無線状態に応じて送信を許容する帯域を決め、それをフロー制御パケットにて基地局制御装置へ送信することにより、基地局制御装置から送信するパケット量を制御する、というフロー制御を行っているが、同公報記載の技術では、このフロー制御を考慮すると実現が困難である。
【特許文献１】特開２００４−２８２６５２号公報
【特許文献２】特開２００３−３１９４３２号公報
【特許文献３】特開２００４−８０６４０号公報
【発明の開示】
【発明が解決しようとする課題】
【００１１】
本発明の課題は、ＨＳＤＰＡ方式による高速パケット通信中の無線端末の基地局間ハンドオーバ時に、再送データによるスループットの低下を抑制可能な技術を提供することにある。
【課題を解決するための手段】
【００１２】
上記課題を解決するために、本発明の無線通信システムは、ＨＳＤＰＡ（High Speed Downlink Packet Access）方式による高速パケット通信機能を有する無線通信システムで
あって；
制御配下の複数の基地局間で無線端末のハンドオーバが発生したとき、ハンドオーバ元基地局から前記無線端末へ送信しきれなかったパケットに関する残留パケット情報を前記ハンドオーバ元基地局より受信する手段と；
前記残留パケット情報を受信したとき、次に送信待ち状態のパケットに優先して、前記残留パケット情報対応のパケットをハンドオーバ先基地局へ送信する手段と；
を基地局制御装置に備える。
【００１３】
本発明の基地局制御装置は、ＨＳＤＰＡ方式による高速パケット通信機能を有する無線通信システムに適用するための基地局制御装置であって；
制御配下の複数の基地局間で無線端末のハンドオーバが発生したとき、ハンドオーバ元基地局から前記無線端末へ送信しきれなかったパケットに関する残留パケット情報を前記ハンドオーバ元基地局より受信する手段と；
前記残留パケット情報を受信したとき、次に送信待ち状態のパケットに優先して、前記残留パケット情報対応のパケットをハンドオーバ先基地局へ送信する手段とを備える。
【００１４】
本発明の基地局は、ＨＳＤＰＡ方式による高速パケット通信機能を有する無線通信システムに適用するための基地局であって；
無線端末のハンドオーバが発生したとき、前記無線端末へ送信しきれなかったパケットに関する残留パケット情報を基地局制御装置に通知する手段を備える。
【００１５】
本発明の制御方法は、ＨＳＤＰＡ方式による高速パケット通信機能を有する無線通信システムの基地局制御装置において実行される制御方法であって；
制御配下の複数の基地局間で無線端末のハンドオーバが発生したとき、ハンドオーバ元基地局から前記無線端末へ送信しきれなかったパケットに関する残留パケット情報を前記ハンドオーバ元基地局より受信するステップと；
前記残留パケット情報を受信したとき、次に送信待ち状態のパケットに優先して、前記残留パケット情報対応のパケットをハンドオーバ先基地局へ送信するステップとを備える。
【００１６】
上記各発明において、前記残留パケット情報は、ＲＬＣ  ＰＤＵ（Radio Link Control
Protocol Data Unit）フレームのシーケンス番号で示すことが可能である。また、前記
残留パケット情報は、ＩＰ（Internet Protocol）フレームの制御メッセージで示すこと
が可能である。さらに、前記残留パケット情報は、ＵＬ  ＨＳ−ＤＳＣＨ（Up Link High
Speed-Downlink Shared Channel）フレームの制御情報で示すことが可能である。
【発明の効果】
【００１７】
本発明によれば、ＨＳＤＰＡ方式による高速パケット通信中に無線端末の基地局間ハンドオーバが発生した場合、ハンドオーバ元基地局から未送信パケットに関する残留パケット情報を基地局制御装置に送信することにより、ハンドオーバ前に基地局制御装置から送信予定であったパケットよりも、未送達パケットをハンドオーバ先基地局に優先的に送信するようにスケジューリングするので、無線端末からの再送要求が無くなり、従って再送データにより生じる無駄な時間及びトラフィックが無くなり、スループットの低下を抑えることができる。
【００１８】
本発明の他の目的、特徴及び利点は、図面及び併記の特許請求の範囲とともに取り上げられる際に、以下に記載される実施の形態を読むことにより明らかになるであろう。
【発明を実施するための最良の形態】
【００１９】
以下、添付図面を参照して、本発明についてさらに詳細に説明する。図面には本発明の好ましい実施形態が示されている。しかし、本発明は、多くの異なる形態で実施されることが可能であり、本明細書に記載される実施形態に限定されると解釈されてはならない。むしろ、これらの実施形態は、本明細書の開示が徹底的かつ完全となり、当業者に本発明の範囲を十分に伝えるように提供される。
【００２０】
［移動通信システムの構成］
〈移動通信システム〉
本発明の一実施の形態におけるシステム構成を示す図１を参照すると、ＨＳＤＰＡ（High Speed Downlink Packet Access）方式の無線通信システム（移動通信システム）ＳＹ
Ｓは、基地局制御装置１と、基地局（Ａ）２−１及び基地局（Ｂ）２−２と、無線端末３と、基地局制御装置１に接続されたネットワーク４とを備えている。ここで、無線端末３は、ＨＳＤＰＡ方式による高速パケット通信に対応した移動局としての携帯電話端末などの移動端末である。また、ネットワーク４はパケット交換網を含むコアネットワークである。
【００２１】
図１においては、基地局２−１とＨＳＤＰＡ方式による高速パケット通信（特に、下り高速パケット伝送）中の無線端末３が、隣接する基地局２−２のサービスエリア（無線ゾーン）に向かって移動する状態を示している。ネットワーク４に接続される基地局制御装置１は、互いに隣接する基地局２−１及び基地局２−２間における無線端末３のハンドオーバを制御する。無線端末３は、ハンドオーバ前には、基地局２−１から下りパケットを受信しており、ハンドオーバ後には、基地局２−２から下りパケットを受信する。ハンド
オーバのために必要な無線回線品質情報は、上りパケットとして、無線端末３から基地局２−１，２−２に送信される。
【００２２】
図２は、図１に示す移動通信システムＳＹＳにおける基地局制御装置１及び基地局２（２−１，２−２）の詳細構成とともに、基地局制御装置１と基地局２との間におけるＨＳＤＰＡ方式による高速パケット通信中の下りパケットデータ転送の概要を示している。なお、図２は、図１において、無線端末３が基地局（Ａ）２−１から隣接する基地局（Ｂ）２−２の制御下のサービスエリアに移動することにより、ハンドオーバが発生する直前の状態を示している。図２において、実線矢印は、Ｕ−Ｐｌａｎｅトラフィックの流れを示し、かつ点線矢印は、制御系メッセージの流れを示す。
【００２３】
〈基地局制御装置〉
基地局制御装置１の主な機能は、上位のネットワーク４と基地局２との間におけるプロトコル変換やチャネル（無線チャネル）切り替え、更には接続されている複数の基地局２の制御を行うことである。また、基地局制御装置１は、前述の機能の他に、ＨＳＤＰＡ方式による高速パケット通信機能を有する。
【００２４】
基地局制御装置１は、これらの機能とともに、自装置の配下で動作する複数の基地局２（２−１，２−２）間でハンドオーバが発生した際に、ハンドオーバ元（移動元）基地局２−１から未送達（未送信）パケット情報を通知してもらうことにより、基地局制御装置１内で次に送信待ちしているパケットよりも、通知された未送達パケット情報対応のパケットをハンドオーバ先（移動先）基地局２−２へ優先的に送信する機能を遂行するために、次に述べる構成要素を備えている。
【００２５】
図２に示すように、基地局制御装置１は、基地局２を制御するメッセージをやり取りするメッセージ制御部１０と、無線端末３を制御するメッセージをやり取りするＣ（Control）−Ｐｌａｎｅ処理部１１と、ユーザトラフィックを処理するＵ（User）−Ｐｌａｎｅ
処理部１２と、基地局２から受信したデータを処理する受信振分け部１３と、送信待ちパケットを格納するパケットキュー１４と、送信に失敗し、再送要求の際に送信するパケットを格納しておく再送用キュー１５と、ＲＬＣ（Radio Link Control）プロトコル処理を制御するＲＬＣ制御部１６と、下りパケットデータ送信のスケジューリングを行うスケジュール送信部１７とを備える。
【００２６】
一層詳述すると、基地局制御装置１において、メッセージ制御部１０は、上位層の呼制御部（ネットワーク４内）及び基地局２のメッセージ制御部（２１）との間で制御系メッセージの送受信を行う。Ｃ−Ｐｌａｎｅ処理部１１は、上位層の呼制御部との間で制御系メッセージの送受信処理を行い、上位層とのインタフェースを担う。Ｕ−Ｐｌａｎｅ処理部１２は、上位層との間でＵ−Ｐｌａｎｅデータの送受信処理を行う。受信振分け部１３は、基地局２から送信されるＵ−Ｐｌａｎｅデータまたは制御系メッセージを受信して、各データの振分け処理を行う。
【００２７】
また、パケットキュー１４は、送信待ちのパケットを格納するためのキューであり、ＨＳＤＰＡ方式では基地局２から送信許可された帯域で送信する必要があり、送信待ちとなることがあるため、ここにキューイングされる。再送用キュー１５は、再送用のパケットを格納するキューであり、無線端末３との間で送達確認が未完了のパケットをキューイングする。
【００２８】
さらに、ＲＬＣ制御部１６は、基地局制御装置１の中心的機能であるＲＬＣ（Radio Link Control）プロトコル処理を行う。ハンドオーバ時には、メッセージ制御部１０を介してＲＬＣ制御部１６に基地局２からの残留パケット情報が未送達パケット情報として渡さ
れることで、ＲＬＣ制御部１６は未送達パケットを再送用キュー１５からスケジュール送信部１７へ渡し、優先的に未送達パケットを送信するようにスケジュール送信部１７を制御する。スケジュール送信部１７は、送信用パケットのスケジュール処理を行う。
〈基地局〉
基地局２の主な機能は、基地局制御装置１側の有線回線からのデータを無線インタフェースに合うデータフォーマットに変換して、サービスエリア内の無線端末３に無線周波数で搬送すること、逆に無線端末３から無線周波数で搬送されるデータを受信して有線インタフェースに合うデータフォーマットに変換して、基地局制御装置１側に搬送することである。また、基地局２は、前述の機能の他に、ＨＳＤＰＡ方式による高速パケット通信機能を有する。
【００２９】
基地局２は、これらの機能とともに、同一の基地局制御装置１の配下の隣接する基地局２間でハンドオーバの開始を検出し、ハンドオーバが発生した際に、無線端末３へ送信しきれなかった未送達パケットに関する残留パケット情報を基地局制御装置１に送信するために、次に述べる構成要素を備えている。
【００３０】
図２に示すように、基地局２は、送信しきれなかった未送達パケットに関する情報（残留パケット情報）を蓄積する残留パケット監視部２０と、残留パケット情報やハンドオーバ要求通知のやりとりを行うメッセージ制御部２１と、基地局制御装置１からの下りパケットデータの受信処理やフロー制御を行う受信＆フロー制御部２２と、送信パケットのキュー制御を行う優先キュー制御部２３と、ハンドオーバ開始の検出を行うハンドオーバ監視部２４と、無線端末３への送信処理を行う多重送信プロセス制御部２５と、優先キュー制御部２３が送信するためのパケットを格納するパケットバッファ２６と、無線端末３からの上りパケットの受信処理を行う上りリンク処理部２７と、基地局制御装置１と無線端末３間で制御系メッセージの送受信を行うＣ−Ｐｌａｎｅ処理部２８とを備えている。ここで、受信＆フロー制御部２２、優先キュー制御部２３、多重送信プロセス制御部２５、及びパケットバッファ２６は、下りリンク処理部を構成している。
【００３１】
一層詳述すると、基地局２（２−１，２−２）において、残留パケット監視部２０は、ハンドオーバが発生した際、無線端末３へ送信しきれなかった未送達パケットに関する残留パケット情報を蓄積する。メッセージ制御部２１は、基地局制御装置１との間で、制御系メッセージのやりとりを行う。このメッセージ制御部２１は、ハンドオーバが発生した時には、残留パケット監視部２０により蓄積した残留パケット情報をハンドオーバ監視部２４を経由して基地局制御装置１へ送信する。
【００３２】
受信＆フロー制御部２２は、基地局制御装置１から送られるパケットの受信処理を行って、優先キュー制御部２３へ渡す。この受信＆フロー制御部２２は、無線端末３との無線状態に応じて、基地局制御装置１から送信を許容する帯域を決め、それをフロー制御パケットにて送信する。優先キュー制御部２３は、無線端末３へ送信するパケットの優先度を判定し、送信するパケットを優先度に従った順にパケットバッファ２６に格納する。
【００３３】
ハンドオーバ監視部２４は、ハンドオーバを検出し、ハンドオーバ開始時には残留パケット監視部２０によって蓄積された残留パケット情報をメッセージ制御部２１を介して基地局制御装置１へ送信する。多重送信プロセス制御部２５は、優先キュー制御部２３によってパケットバッファ２６へ溜められたパケットデータを優先度ごとに複数個多重化して、無線端末３へ送信する。
【００３４】
パケットバッファ２６は、無線端末３へ送信されるパケットを格納するためのバッファメモリである。上りリンク処理部２７は、無線端末３から送信されるデータの受信処理を行う。Ｃ−Ｐｌａｎｅ処理部２８は、基地局制御装置１と無線端末３との間でやりとりさ
れる、上り及び下りの制御系メッセージの送受信を行う。
【００３５】
［移動通信システムの動作］
次に、図１及び図２に示す本発明の一実施の形態の移動通信システムＳＹＳにおける動作例を図１から図６を併用して説明する。図３は一実施の形態における無線通信制御方法の手順を示すシーケンス図である。図４はＲＬＣ  ＰＤＵ（Protocol Data Unit）のフレームフォーマットを示し、図５はＩＰ（Internet Protocol）フレームのフォーマットを
示し、図６はＵＬ  ＨＳ−ＤＳＣＨ（Up Link High Speed-Downlink Shared Channel）フレームのフォーマットを示す。
【００３６】
この移動通信システムＳＹＳにおいては、送信する全パケットはシーケンス番号「１〜９」までとし、パケット「１、２、３」は無線端末３に既に送信済みであるが、無線端末３が送信する送信完了通知は未送信の状態である。図２は、基地局制御装置１が次のパケット「４、５、６」を基地局（Ａ）２−１に送信し（ステップＳ１）、パケットバッファ２６にパケット「４、５、６」が溜められている状態を示している。
【００３７】
無線端末３が基地局（Ａ）２−１に隣接する基地局（Ｂ）２−２のサービスエリアに移動する（ステップＳ２）と、基地局制御装置１は基地局（Ａ）２−１内のＣ−Ｐｌａｎｅ処理部２８を経由して、無線端末３へ測定開始要求を送信する（ステップＳ３）。無線端末３は測定結果応答（無線回線品質情報、例えばパケットロス情報など）を基地局（Ａ）２−１内のＣ−Ｐｌａｎｅ処理部２８を経由して基地局制御装置１に送信する（ステップＳ４）。
【００３８】
基地局制御装置１が測定結果応答を受信し、ハンドオーバであると判断すると（ステップＳ５）、基地局制御装置１は基地局（Ｂ）２−２にリンク追加要求を送信し（ステップＳ６）、追加に成功したら基地局（Ｂ）２−２はリンク追加応答を送信する（ステップＳ７）。
【００３９】
ステップＳ７後、基地局制御装置１は基地局（Ａ）２−１内のＣ−Ｐｌａｎｅ処理部２８を経由して、無線端末３へ基地局切り替え要求を送信する（ステップＳ８）。無線端末３は基地局（Ａ）２−１から基地局（Ｂ）２−２に、送受信する基地局を切り替え（ステップＳ９）、基地局切り替え応答を基地局（Ａ）２−１内のＣ−Ｐｌａｎｅ処理部２８を経由して、基地局制御装置１へ送信する（ステップＳ１０）。
【００４０】
基地局制御装置１は、切り替え元の基地局（Ａ）２−１にリンク解放要求を送信する（ステップＳ１１）。リンク解放要求はメッセージ制御部２１を経由してハンドオーバ監視部２４へ渡され、ハンドオーバ監視部２４がハンドオーバの検出を行い、残留パケット監視部２０にて蓄積されていた残留パケットのＲＬＣ  ＰＤＵのシーケンス番号（図４参照）をリンク解放要求の応答と共に基地局制御装置１へ送信する（ステップＳ１２）。
【００４１】
ここでは、無線端末３への未送信パケット「４、５、６」が残留パケットとなり、これらのパケットのシーケンス番号が通知される。なお、この残留パケットのＲＬＣ  ＰＤＵのシーケンス番号情報通知のために、図５で示されるような基地局制御装置１と基地局２との間でやりとりされるＩＰフレームによる制御メッセージ、または図６に示すＵＬ  ＨＳ−ＤＳＣＨフレームの制御情報を使用してもよい。
【００４２】
ステップＳ１２において、残留パケットのシーケンス番号を通知された基地局制御装置１内のＲＬＣ制御部１６は、通知されたシーケンス番号のパケットより以前に送信したパケットである、パケット「１、２、３」の送信完了通知を未受信の状態であっても、パケット「１、２、３」を再送することなく、渡されたシーケンス番号対応のパケット「４、
５、６」をスケジュール送信部１７にて、既にスケジューリングされたパケット「７、８、９」よりも先に送信するように再スケジューリングさせることで、優先的に送信することを可能にする（ステップＳ１３）。
【００４３】
次に、基地局制御装置１は、下りパケット送信先の基地局を、基地局（Ａ）２−１から基地局（Ｂ）２−２に切り替える（ステップＳ１４）。ハンドオーバ後、切り替え元の基地局（Ａ）２−１は、パケットバッファ２６内に残留したパケット「４、５、６」を廃棄する（ステップＳ１５）。
【００４４】
ステップＳ１５後、スケジュール送信部１７はパケット「４、５、６」を基地局（Ｂ）２−２に送信する（ステップＳ１６）。基地局（Ｂ）２−２はパケット「４、５、６」を受信＆フロー制御部２２で受信後、優先キュー制御部２３及び多重送信プロセス制御部２５を経て、無線端末３へ送信する（ステップＳ１７）。無線端末３はパケット「４、５、６」を受信後、送信完了通知を基地局（Ｂ）２−２に送信する（ステップ１８）。基地局（Ｂ）２−２は、送信完了通知を基地局制御装置１へ送信する（ステップＳ１９）。ＲＬＣ制御部１６が送信完了通知を受信後、ステップＳ１６〜Ｓ１９と同様の手順でパケット「７、８、９」を無線端末３へ送信する（ステップＳ２０〜Ｓ２３）。
【００４５】
本来ならパケットキュー１４に格納されているパケット「７、８、９」がパケット「４、５、６」より先に送信されることになるが、上述したように未送達パケットを優先的に送信することで、無線端末３は再送要求が不要となり、無駄な再送パケットの送信を抑制することが可能となる。
【００４６】
［変形例］
上述した一実施の形態における処理はコンピュータで実行可能なプログラムとして提供され、ＣＤ−ＲＯＭやフレキシブルディスクなどの記録媒体、さらには通信回線を経て提供可能である。
【００４７】
また、上述した一実施の形態における各処理はその任意の複数または全てを選択し組合せて実施することもできる。
【００４８】
［その他］
（付記１）ＨＳＤＰＡ（High Speed Downlink Packet Access）方式による高速パケッ
ト通信機能を有する無線通信システムであって；
制御配下の複数の基地局間で無線端末のハンドオーバが発生したとき、ハンドオーバ元基地局から前記無線端末へ送信しきれなかったパケットに関する残留パケット情報を前記ハンドオーバ元基地局より受信する手段と；
前記残留パケット情報を受信したとき、次に送信待ち状態のパケットに優先して、前記残留パケット情報対応のパケットをハンドオーバ先基地局へ送信する手段と；
を基地局制御装置に備える無線通信システム。（１）
（付記２）ＨＳＤＰＡ（High Speed Downlink Packet Access）方式による高速パケッ
ト通信機能を有する無線通信システムに適用するための基地局制御装置であって；
制御配下の複数の基地局間で無線端末のハンドオーバが発生したとき、ハンドオーバ元基地局から前記無線端末へ送信しきれなかったパケットに関する残留パケット情報を前記ハンドオーバ元基地局より受信する手段と；
前記残留パケット情報を受信したとき、次に送信待ち状態のパケットに優先して、前記残留パケット情報対応のパケットをハンドオーバ先基地局へ送信する手段と；
を備える基地局制御装置。（２）
（付記３）ＨＳＤＰＡ（High Speed Downlink Packet Access）方式による高速パケッ
ト通信機能を有する無線通信システムに適用するための基地局であって；
無線端末のハンドオーバが発生したとき、前記無線端末へ送信しきれなかったパケットに関する残留パケット情報を基地局制御装置に通知する手段
を備える基地局。（３）
（付記４）ＨＳＤＰＡ（High Speed Downlink Packet Access）方式による高速パケッ
ト通信機能を有する無線通信システムの基地局制御装置において実行される制御方法であって；
制御配下の複数の基地局間で無線端末のハンドオーバが発生したとき、ハンドオーバ元基地局から前記無線端末へ送信しきれなかったパケットに関する残留パケット情報を前記ハンドオーバ元基地局より受信するステップと；
前記残留パケット情報を受信したとき、次に送信待ち状態のパケットに優先して、前記残留パケット情報対応のパケットをハンドオーバ先基地局へ送信するステップと；
を備える制御方法。（４）
（付記５）前記残留パケット情報は、ＲＬＣ  ＰＤＵ（Radio Link Control Protocol Data Unit）フレームのシーケンス番号で示される
付記１記載の無線通信システム。
【００４９】
（付記６）前記残留パケット情報は、ＩＰ（Internet Protocol）フレームの制御メッ
セージで示される
付記１記載の無線通信システム。
【００５０】
（付記７）前記残留パケット情報は、ＵＬ  ＨＳ−ＤＳＣＨ（Up Link High Speed-Downlink Shared Channel）フレームの制御情報で示される
付記１記載の無線通信システム。
【００５１】
（付記８）前記残留パケット情報は、ＲＬＣ  ＰＤＵ（Radio Link Control Protocol Data Unit）フレームのシーケンス番号で示される
付記２記載の基地局制御装置。
【００５２】
（付記９）前記残留パケット情報は、ＩＰ（Internet Protocol）フレームの制御メッ
セージで示される
付記２記載の基地局制御装置。
【００５３】
（付記１０）前記残留パケット情報は、ＵＬ  ＨＳ−ＤＳＣＨ（Up Link High Speed-Downlink Shared Channel）フレームの制御情報で示される
付記２記載の基地局制御装置。
【図面の簡単な説明】
【００５４】
【図１】本発明の一実施の形態の移動通信システムの構成を示すブロック図である。
【図２】図１に示す移動通信システムにおける基地局制御装置及び基地局の詳細構成を示すブロック図である。
【図３】一実施の形態による無線通信制御方法の手順を示すシーケンス図である。
【図４】ＲＬＣ  ＰＤＵのフレームフォーマットを示す。
【図５】ＩＰフレームのフォーマットを示す。
【図６】ＵＬ  ＨＳ−ＤＳＣＨフレームのフォーマットを示す。
【符号の説明】
【００５５】
ＳＹＳ  移動通信システム
１      基地局制御装置
１０    メッセージ制御部
１１    Ｃ−Ｐｌａｎｅ処理部
１２    Ｕ−Ｐｌａｎｅ処理部
１３    受信振分け部
１４    パケットキュー
１５    再送用キュー
１６    ＲＬＣ制御部
１７    スケジュール送信部
２、２−１、２−２    基地局
２０    残留パケット監視部
２１    メッセージ制御部  
２２    受信＆フロー制御部
２３    優先キュー制御部
２４    ハンドオーバ監視部
２５    多重送信プロセス制御部
２６    パケットバッファ
２７    上りリンク処理部
２８    Ｃ−Ｐｌａｎｅ処理部
３      無線端末
４      ネットワーク
【図１】
2007096819.tif 000003
【図２】
2007096819.tif 000004
【図３】
2007096819.tif 000005
【図４】
2007096819.tif 000006
【図５】
2007096819.tif 000007
【図６】
2007096819.tif 000008